【手続補正書】
【提出日】平成17年3月24日(2005.3.24)
【手続補正１】
【補正対象書類名】明細書
【補正対象項目名】特許請求の範囲
【補正方法】変更
【補正の内容】
【特許請求の範囲】
【請求項１】
光源手段と、該光源手段から発した光束を光偏向器の偏向面に導く入射光学系と、該光偏向器によって偏向された光束を被走査面上に導光する走査光学系とを有し、副走査断面内において該偏向面と該被走査面とが共役関係を満たす光走査装置において、
前記光偏向器の偏向面に入射する光束は、副走査断面内において該偏向面の法線に対して角度を持って入射しており、且つ、
前記走査光学系を構成する走査光学素子は全て透過型であり、且つ、該走査光学系は、少なくとも１枚の副走査方向にパワーを有する走査光学素子を有しており、且つ、該走査光学系の副走査断面内における結像倍率は全走査域で０.７倍以上であり、
該走査光学系の全走査域における副走査断面内における結像倍率の最大値をβmax、最小値をβmin、副走査断面内における解像度により決まる画素サイズをＰ、該偏向面の偏向点と該副走査方向にパワーを有する走査光学素子の入射面の面頂点との副走査方向における距離をΔＬとするとき、
（βmax−βmin）＜Ｐ／ΔＬ
を満たすように、該副走査方向にパワーを有する走査光学素子の入射面の面頂点は、副走査断面内において該光束の主光線の通過位置に対して該偏向面の偏向点側に偏心していることを特徴とする光走査装置。
【請求項２】
前記透過型の走査光学素子は、走査レンズであることを特徴とする請求項１に記載の光走査装置。
【請求項３】
前記走査光学系は、主走査方向にパワーを有する第１の透過型の走査光学素子と、副走査方向のパワーが軸上から軸外に向って弱い形状の第２の透過型の走査光学素子と、を有することを特徴とする請求項１に記載の光走査装置。
【請求項４】
前記第２の透過型の走査光学素子に入射する光束の主光線は、副走査断面内において該第２の透過型の走査光学素子の光軸に対して角度を有して入射し、該第２の透過型の走査光学素子の光軸は前記偏向面の法線に対して平行であることを特徴とする請求項３に記載の光走査装置。
【請求項５】
前記光源手段は複数の発光部を有することを特徴とする請求項１に記載の光走査装置。
【請求項６】
請求項１〜５のいずれか１項に記載の光走査装置の被走査面に配置され、画像を形成する感光ドラムとを有することを特徴とする画像形成装置。
【請求項７】
外部機器から入力した色信号を画像データに変換して前記光走査装置に入力せしめるプリンタコントローラを有していることを特徴とする請求項６に記載の画像形成装置。
【請求項８】
光偏向器と、該光偏向器の偏向面によって偏向された複数の光束を夫々異なる被走査面上に導光する複数の走査光学系とを有し、該複数の走査光学系は夫々副走査断面内において該偏向面と該被走査面とが共役関係を満たす光走査装置において、
前記光偏向器の偏向面に入射する複数の光束は、副走査断面内において該偏向面の法線に対して角度を持って入射しており、且つ、
前記複数の走査光学系を構成する走査光学素子は全て透過型であり、且つ、該複数の走査光学系は、夫々少なくとも１枚の副走査方向にパワーを有する走査光学素子を有しており、且つ、該前記複数の走査光学系の夫々の副走査断面内における結像倍率は全走査域で０.７倍以上であり、
該複数の走査光学系の夫々の全走査域における副走査断面内における結像倍率の最大値をβmax、最小値をβmin、該複数の走査光学系の夫々の副走査断面内における解像度により決まる画素サイズをＰ、該複数の走査光学系の夫々において、該偏向面の偏向点と該副走査方向にパワーを有する走査光学素子の入射面の面頂点との副走査方向における距離をΔＬとするとき、
（βmax−βmin）＜Ｐ／ΔＬ
を満たすように、該副走査方向にパワーを有する走査光学素子の入射面の面頂点は、副走査断面内において該光束の主光線の通過位置に対して該偏向面の偏向点側に偏心していることを特徴とする光走査装置。
【請求項９】
前記透過型の走査光学素子は、走査レンズであることを特徴とする請求項８に記載の光走査装置。
【請求項１０】
前記複数の走査光学系の夫々は、主走査方向にパワーを有する第１の透過型の走査光学素子と、副走査方向のパワーが軸上から軸外に向って弱い形状の第２の透過型の走査光学素子と、を有することを特徴とする請求項８に記載の光走査装置。
【請求項１１】
前記第２の透過型の走査光学素子に入射する光束の主光線は、副走査断面内において該第２の透過型の走査光学素子の光軸に対して角度を有して入射し、該第２の透過型の走査光学素子の光軸は前記偏向面の法線に対して平行であることを特徴とする請求項１０に記載の光走査装置。
【請求項１２】
前記複数の被走査面の夫々は複数の光束が導光されていることを特徴とする請求項８に記載の光走査装置。
【請求項１３】
請求項８〜１２のいずれか１項に記載の光走査装置の異なる被走査面に配置され、互いに異なった色の画像を形成する複数の感光ドラムとを有することを特徴とするカラー画像形成装置。
【請求項１４】
外部機器から入力した色信号を異なった色の画像データに変換して前記光走査装置に入力せしめるプリンタコントローラを有していることを特徴とする請求項１３に記載のカラー画像形成装置。
【手続補正２】
【補正対象書類名】明細書
【補正対象項目名】００１９
【補正方法】変更
【補正の内容】
【００１９】
【課題を解決するための手段】
請求項１の発明の光走査装置は、光源手段と、該光源手段から発した光束を光偏向器の偏向面に導く入射光学系と、該光偏向器によって偏向された光束を被走査面上に導光する走査光学系とを有し、副走査断面内において該偏向面と該被走査面とが共役関係を満たす光走査装置において、
前記光偏向器の偏向面に入射する光束は、副走査断面内において該偏向面の法線に対して角度を持って入射しており、且つ、
前記走査光学系を構成する走査光学素子は全て透過型であり、且つ、該走査光学系は、少なくとも１枚の副走査方向にパワーを有する走査光学素子を有しており、且つ、該走査光学系の副走査断面内における結像倍率は全走査域で０.７倍以上であり、
該走査光学系の全走査域における副走査断面内における結像倍率の最大値をβmax、最小値をβmin、副走査断面内における解像度により決まる画素サイズをＰ、該偏向面の偏向点と該副走査方向にパワーを有する走査光学素子の入射面の面頂点（図２、図１７）との副走査方向における距離をΔＬとするとき、
（βmax−βmin）＜Ｐ／ΔＬを満たすように、該副走査方向にパワーを有する走査光学素子の入射面の面頂点は、副走査断面内において該光束の主光線の通過位置に対して該偏向面の偏向点側に偏心していることを特徴としている。
請求項２の発明は、請求項１の発明において、前記透過型の走査光学素子は、走査レンズであることを特徴としている。
請求項３の発明は、請求項１の発明において、前記走査光学系は、主走査方向にパワーを有する第１の透過型の走査光学素子と、副走査方向のパワーが軸上から軸外に向って弱い形状の第２の透過型の走査光学素子と、を有することを特徴としている。
請求項４の発明は、請求項３の発明において、前記第２の透過型の走査光学素子に入射する光束の主光線は、副走査断面内において該第２の透過型の走査光学素子の光軸に対して角度を有して入射し、該第２の透過型の走査光学素子の光軸は前記偏向面の法線に対して平行であることを特徴としている。
請求項５の発明は、請求項１の発明において、前記光源手段は複数の発光部を有することを特徴としている。
請求項６の発明の画像形成装置は、請求項１〜５のいずれか１項に記載の光走査装置の被走査面に配置され、画像を形成する感光ドラムとを有することを特徴としている。
請求項７の発明は、請求項６の発明において、外部機器から入力した色信号を画像データに変換して前記光走査装置に入力せしめるプリンタコントローラを有していることを特徴としている。
請求項８の発明の光走査装置は、光偏向器と、該光偏向器の偏向面によって偏向された複数の光束を夫々異なる被走査面上に導光する複数の走査光学系とを有し、該複数の走査光学系は夫々副走査断面内において該偏向面と該被走査面とが共役関係を満たす光走査装置において、
前記光偏向器の偏向面に入射する複数の光束は、副走査断面内において該偏向面の法線に対して角度を持って入射しており、且つ、
前記複数の走査光学系を構成する走査光学素子は全て透過型であり、且つ、該複数の走査光学系は、夫々少なくとも１枚の副走査方向にパワーを有する走査光学素子を有しており、且つ、該前記複数の走査光学系の夫々の副走査断面内における結像倍率は全走査域で０.７倍以上であり、
該複数の走査光学系の夫々の全走査域における副走査断面内における結像倍率の最大値をβmax、最小値をβmin、該複数の走査光学系の夫々の副走査断面内における解像度により決まる画素サイズをＰ、該複数の走査光学系の夫々において、該偏向面の偏向点と該副走査方向にパワーを有する走査光学素子の入射面の面頂点との副走査方向における距離をΔＬとするとき、
（βmax−βmin）＜Ｐ／ΔＬ
を満たすように、該副走査方向にパワーを有する走査光学素子の入射面の面頂点は、副走査断面内において該光束の主光線の通過位置に対して該偏向面の偏向点側に偏心していることを特徴としている。
請求項９の発明は、請求項８の発明において、前記透過型の走査光学素子は、走査レンズであることを特徴としている。
請求項１０の発明は、請求項８の発明において、前記複数の走査光学系の夫々は、主走査方向にパワーを有する第１の透過型の走査光学素子と、副走査方向のパワーが軸上から軸外に向って弱い形状の第２の透過型の走査光学素子と、を有することを特徴としている。
請求項１１の発明は、請求項１０の発明において、前記第２の透過型の走査光学素子に入射する光束の主光線は、副走査断面内において該第２の透過型の走査光学素子の光軸に対して角度を有して入射し、該第２の透過型の走査光学素子の光軸は前記偏向面の法線に対して平行であることを特徴としている。
請求項１２の発明は、請求項８の発明において、前記複数の被走査面の夫々は複数の光束が導光されていることを特徴としている。
請求項１３の発明のカラー画像形成装置は、請求項８〜１２のいずれか１項に記載の光走査装置の異なる被走査面に配置され、互いに異なった色の画像を形成する複数の感光ドラムとを有することを特徴としている。
請求項１４の発明は、請求項１３の発明において、外部機器から入力した色信号を異なった色の画像データに変換して前記光走査装置に入力せしめるプリンタコントローラを有していることを特徴としている。